(57)【要約】      （修正有）【課題】フィルム状逆止弁としての作用を有する流動経路を流動性充填物包装体の内側領域に形成する二重収納構造体を提供する。【解決手段】キャップ本体２５に注出ノズル２１を上方または横方向に突出して設け、下方には流動性充填物包装体３０とスクイズカバー体とに融着・接合される挿入ノズルならびに段差部２３を設けて成る注出ノズルキャップ２０と、所定の形状に型抜きされた重なり合う表裏二枚の軟質フィルムシートの上端部ならびに側面端部に融着フラップ部３２を形成して袋状に融着・接合すると共に、上部中央にはノズル挿入口３５を設けて成る流動性充填物包装体と、柔軟性および形状復元性を備える硬質フィルムシートを所定の形状に成形し、上端部ならびに側面端部に融着フラップ部を形成して成るスクイズカバー体と、から成り、注出ノズルキャップの挿入ノズル２２を流動性充填物包装体のノズル挿入口に挿入して融着・接合する。【選択図】図２
2014088209.tif 000002
【特許請求の範囲】
【請求項１】
所定の形状に型抜きされた重なり合う表裏二枚の軟質フィルムシートの上端部ならびに側面端部に融着フラップ部を形成して袋状に融着・接合すると共に、上部中央にはノズル挿入口を設けて成る非自立性の流動性充填物包装体であって、
前記上端部に形成される融着フラップ部及びノズル挿入口の下端から所定間隔を空けて重なり合う表裏二枚の軟質フィルムシート同士を融着・接合して融着領域部を設けることで、該融着フラップ部と融着領域部によって囲まれる袋体の内側領域に流動経路が形成されて成り、
流動性充填物が通過することによって発生する毛細管現象と表面張力による密着効果によって、前記流動経路がフィルム状逆止弁として作用することを特徴とする流動性充填物包装体。
【請求項２】
充填される流動性充填物を空気に晒すことなく注出する二重収納構造体であって、
請求項１に記載の流動性充填物包装体と、注出機能ならびに密封機能を有する注出ノズルキャップと、自立性を備えるスクイズカバー体によって構成され、
前記注出ノズルキャップは、キャップ本体に注出ノズルを上方または横方向に突出して設け、下方には前記流動性充填物包装体と前記スクイズカバー体とに融着・接合される挿入ノズルならびに段差部を設けて成り、
前記スクイズカバー体は、柔軟性および形状復元性を備える硬質フィルムシートを所定の形状に成形し、上端部ならびに側面端部に融着フラップ部を形成して成り、
前記注出ノズルキャップの挿入ノズルを前記流動性充填物包装体のノズル挿入口に挿入して融着・接合すると共に、前記流動性充填物包装体の融着フラップ部を表裏二枚の前記スクイズカバー体の融着フラップ部で挟み込んで融着・接合し、かつ、前記スクイズカバー体の上端部所定箇所を夫々前記挿入ノズルの段差部に融着・接合したことを特徴とする二重収納構造体。
【請求項３】
前記スクイズカバー体の側面両側に、折れ線によって形成される略三角状のマチ部を設けたことを特徴とする請求項２に記載の二重収納構造体。
【請求項４】
前記スクイズカバー体の表面を等分する位置に、下端から上方に向かって適宜に延設される折れ線を設けたことを特徴とする請求項２または請求項３に記載の二重収納構造体。
【請求項５】
前記注出ノズルキャップがヒンジによって開閉される蓋体を備えて成り、該蓋体の内側に設けられる突起状の止栓棒状体が前記キャップ本体に設けられる注出ノズルの注出ノズル孔に挿入されることで、止栓・密封機能を備えることを特徴とする請求項２から請求項４のいずれかに記載の二重収納構造体。
【請求項６】
前記スクイズカバー体が、柔軟性および形状復元性を備える硬質の合成樹脂素材で射出成型されて成り、
前記流動性充填物包装体の融着フラップ部を、表裏二枚の前記スクイズカバー体の融着フラップ部で挟み込んで融着・接合したことを特徴とする請求項２から請求項５のいずれかに記載の二重収納構造体。
【請求項７】
前記流動性充填物包装体が、内側領域に設けられている融着領域部を省略することでフィルム状逆止弁として作用する流動経路が省略されて成ることを特徴とする請求項６に記載の二重収納構造体。
【発明の詳細な説明】
【技術分野】
【０００１】
フィルム状逆止弁としての作用を有する流動経路を流動性充填物包装体の内側領域に形成して、充填される流動性充填物を空気に晒すことなく注出することができる二重収納構造体に関する。
【背景技術】
【０００２】
従来における調味料、飲料、食材、食品、化粧品、画材、塗料、潤滑剤、洗剤、洗髪料、消毒剤、薬剤等の流動性充填物を収容する充填容器を形状的に分類すると、ジェル状もしくは粘性の高い材料が充填されるチューブ容器と、液体や気体を始めとするあらゆる流動性充填物が充填される金属、プラスチック、ガラス、陶器製の固形容器と、液体や調理具材が充填される袋状容器とに大別される。
【０００３】
上記のチューブ容器は、押出し性が良いことからジェル状または粘性の高い練製品に多く使われており、また固形容器は、自立性、保存性、利便性、堅牢性、安全性が高いという特徴を有し、さらに袋状容器は、軽量且つ安価な上、製造・流通過程での物流コストの削減が図られるという特性を有することから、充填される流動性充填物の内容物によって充填容器の種類が使い分けられている。
【０００４】
近年において健康志向や安全性が強く要求される中、食品、調味料、化粧水の分野においては、充填される流動性充填物が空気に晒され酸化することによって鮮度や品質が低下するのを防止すべく、二重容器が提案されている。
【０００５】
従来提案されている二重容器の基本的な構造は、内容器と外容器の中間に空気層を介在させ、該外容器を外方向からスクイズすることによって、内容器に充填される流動性充填物を空気圧を介して間接的に押し出す手法を採るものであった。
【０００６】
しかしながら、かかる注出容器の中間に空気層を介在させた二重容器は、内容器と外容器が其々袋状の容器体を形成していることによって容器自体の自立性がないという問題や、柔軟性のある内容器とスクイズ性を有する外容器と空気層とが互いに干渉し合って内容器に充填された流動性充填物を空気圧で最後まで押し出すことができないと同時に、必要以上の押し出し力を必要とする押出し性の問題、さらに内容器と外容器の中間に空気層が介在することで外圧が内容器に平均的にかかるため、局部的に残留する流動性充填物を一様に押し延べて注出できないという問題など、多くの課題を残すものであった。
【０００７】
上記の問題を解決すべく、従来より種々の提案がなされている。例えば、内容器と外容器の中間に空気層を介在させ、該外容器をスクイズすることによって内容器に充填される流動性充填物を空気圧を利用して間接的に押し出す構造の二重容器としては、従来の可撓性のマヨネーズ容器の中に、可撓性のないポリエチレン、ポリプロピレンなどの薄い食品用袋を入れ、外容器に空気穴を開けた「酸化防止容器」(特許文献1参照)が提案され、公知技術となっている。
【０００８】
しかしながら、上記の「酸化防止容器」の提案は、柔軟で可撓性のない内容器に充填されている流動性充填物を可撓性のある外容器の中間に空気層を介在させて間接的に押し出す構造であるため、局部的に残留する粘性の高い流動性充填物を注出することができないという問題や、空気圧を利用して間接的に押し出すために必要以上の押出し力が求められるという問題、そして粘性の低い液体などの流動性充填物の逆止弁効果が備わっていないという問題を解決することができないものであった。
【０００９】
また、注出キャップ部を備える充填袋体と、胴部がスクイズ性（可撓性）を有するスクイズ狭持具本体から構成される本出願人による「詰替用袋体収納容器ならびに詰替用袋体」(特許文献２参照)が提案され、公知技術となっている。
【００１０】
しかしながら、上記の「詰替用袋体収納容器ならびに詰替用袋体」の提案は、外容器がスクイズ性（可撓性）を有する樹脂容器であることから、容器自体の自立性と、局部的に残留する粘性の高い材料を注出することはできるが、空気圧を利用して間接的に押し出す構造であるため、必要以上の押し出し力が求められるという問題や、粘性の低い液体などの流動性充填物の逆流を防止するという問題を解決することができないものであった。
【００１１】
また柔軟な袋体に筒状の注出口が設けられた内容器と、該内容器を覆い復元可能にスクイズ性を有する外容器とから構成される「二重構造スクイズ狭持具」(特許文献４参照)が提案され、公知技術となっている。
【００１２】
しかしながら、上記の「二重構造スクイズ狭持具」の提案は、蓋部の構造が複雑構造となることから製造コストの高騰を招くと共に、外容器がスクイズ性（可撓性）を有する樹脂容器であることから容器自体の自立性は確保できるが、空気圧を利用して間接的に押し出す構造であるため必要以上の押出し力が求められるという問題を解決することができないものであった。
【００１３】
一方、外容器に空気層を介在させない物理的外圧を掛けて内容器に充填される流動性充填物を直接的に押し出す構造のものとしては、上方に抽出口を設けた自立型可撓性液体収納袋と、この自立型可撓性液体収納袋を自立させることができる受部を設けると共に、この受部に立設した枠部又は背面部の上端部に抽出口を露出し得る孔を上方所定位置に穿設した適宜形状の押圧体を回動自在に設けた液体抽出体と、により構成された「自立型可撓性液体収納袋用液体抽出器」(特許文献４参照)が提案され、公知技術となっている。
【００１４】
しかしながら、上記の「自立型可撓性液体収納袋用液体抽出器」の提案は、抽出器自体が特殊構造を有する袋体（抽出口が横向き）を使用する構造から、一般的に市販されている収納袋（充填容器）を使用することができない上に、挟持部が露出して安全性や美観性に欠けるものであり、さらに直立面の片方が直角であるため自立性の安定感に欠け、抽出に当たっては使い勝手が悪い横向きのキャップ付き抽出パイプを装着しなければならないなど、使用時ならびに交換時において手間や煩雑さを必要とするものであった。
【００１５】
他方、流通段階において輸送コストの低減が図られ、充填容器の使い捨てができるスタンドパック型の液体注出容器が開発されてきている。例えば、空気に触れると酸化して品質が劣化する商品を、液体の流動性と、パイプ、袋の可塑性、外気圧、を利用して液体自身に空気の逆流防止弁の働きをさせることより、開封後も空気に触れる面積を最小限に押さえ、内容物の品質を長持ちさせることができる「液体商品の酸化防止容器」が(特許文献５参照)が提案され、公知技術となっている。
【００１６】
しかしながら、上記の「液体商品の酸化防止容器」の提案は、袋の内側に片端に添って底近くまでの長さを持つパイプを取り付け、袋内に嫌気性の液体を注入後、最上部を閉じる構造の袋状の容器であることから、粘性の高い流動性充填物の酸化防止容器として使用できるが、粘性の低い液体の酸化防止容器としては、液体を注出中にスクイズ作用を一時期的に中止した状態でキャップを閉める必要がある逆止弁効果作用を備えない構造であることから、実用性の低い酸化防止容器となっている。
【００１７】
また、抽出素材封入用フィルターバッグと共に充填したお茶やコーヒー等の注出液の風味を劣化させることなく、充填初期の新鮮な状態を長期に亘って保持することのできる「飲料水用ダブルパック包装袋および飲料水・抽出素材共充填型包装構造体」(特許文献６参照)や、逆止ノズル注出孔を突設してなる包装袋に液状被包装物を充填してなる、非自立形の流動性充填物包装体と、これを収納保持するために用いられる自立形外容器と、からなる包装構造体において、充填した液状被包装物が酸化されたり、汚染されたりすることがなく、さらに輸送や取り扱い時に倒れる等しても変形や破損することのない「液状物充填包装構造体」(特許文献７参照)が提案され、公知技術となっている。
【００１８】
しかしながら、上記の「飲料水用ダブルパック包装袋および飲料水・抽出素材共充填型包装構造体」においては、軟質積層フィルムからなる包装袋本体の一縁部に、重なり合う軟質積層プラスチックフィルムの相互間に形成される注出通路内に液状物が介在するときにフィルム相互の密着作用によって外気の袋内への侵入を阻止する逆止機能を生ずる平坦なフィルム状逆止ノズルを突設してなるフレキシブル包装袋と、そのフレキシブル包装袋内に液中シール充填される液体と共に気密下に収納される、茶類やコーヒー、果実などの抽出素材を封入してなるフィルターバッグと、からなる構造であることや、一方の「液状物充填包装構造体」においては、逆止機能を有する液体ノズル注出孔を突設してなる軟質プラスチック包装袋内に、液状被包装物を気密下に充填してなる非自立形の流動性充填物包装体と、この流動性充填物包装体を収納保持するための硬質プラスチックまたは紙製の円筒状または角筒状の自立形の外容器と、からなる液状物充填包装構造体であって、この外容器は、その上端部または一側縁上部に、流動性充填物包装体の液体ノズル注出孔を出し入れ可能に収容するための注出用口部を突設してなる構造であることから、下記に示す問題点が指摘されるものである。
【００１９】
（１）平面的なフィルム状逆止弁が使用されているため、粘性の高い流動性充填物を注出する場合、フィルム状逆止弁における密着性効果が発生しないという問題。
（２）フィルム状逆止弁の流動経路が外部に突出して短いため、使用中に流動性充填物包装体内に空気が流入することによって、流動性充填物が空気に晒されて鮮度維持と酸化防止が図れないという問題。
（３）フィルム状逆止弁によって密着性を維持しているため、衝撃、接触、乾燥または濡れ具合によってその密着性が維持できないという問題。
（４）製品が倒れた場合に、フィルム状逆止弁が開口して流動性充填物が零れ出すという問題。
（５）平面的なフィルム状逆止弁が外部に突出している構造であるため、常に外部の空気に晒され状態で取り付けられることによって、他の収納容器や食品に接触して不衛生であるという問題。
（６）流動性充填物包装体内に空気が混入した場合、フィルム状逆止弁の対向側上部片隅に空気が滞留してしまい、その空気を流動性充填物包装体外に排出する術がないという問題。
（７）流動性充填物の注出量を制御するフィルム状逆止弁の流動経路が短いため、スクイズカバー体を少しでも強く握ると流動性充填物が一気に注出されるため、手加減した状態で二重収納構造体を把持しなければならないという問題。
（８）製品の高さ寸法に対して底面積が小さいため、安定的な自立性がないという問題。
（９）流動性充填物包装体がスクイズカバー体内で吊持される構造から、流動性充填物包装体がスクイズカバー体内で宙吊りの状態になり、流動性充填物を安定した状態で注出することができないという問題。
以上のように、従来の二重収納構造体は多くの問題点を解決することができないでいるものであった。
【００２０】
本出願人は、以上のような内容器と外容器の間に空気層を介在させ、内容器に充填される流動性充填物をスクイズによる空気圧によって間接的に押し出す構造と、物理的外圧手段によって流動性充填物を押し出す構造の二重収納構造体における注出性、自立性、簡易性、衛生面の問題点に着目し、それらの問題点を簡便な構造と手段で一挙に解決することができないものかという着想の下、流動性充填物が通過することによって発生する毛細管現象と、表面張力による密着効果によってフィルム状逆止弁としての作用を有する流動経路を流動性充填物包装体の内側領域に形成して、充填される流動性充填物を空気に晒すことなく注出することができる二重収納構造体を開発し、本発明における「フィルム状逆止弁作用を備える流動性充填物包装体とそれを利用した二重収納構造体」の提案に至るものである。
【先行技術文献】
【特許文献】
【００２１】
【特許文献１】実用新案登録第３１４０７１０号公報
【特許文献２】特開２０１０-４２８６８号公報
【特許文献３】特開２００６-１１１３３５号公報
【特許文献４】特開２００３-１９２０４８号公報
【特許文献５】特開２００３-１０４４０１号公報
【特許文献６】特開２０１０-１５９０８７号公報
【特許文献７】特開２０１１-２１９１１５号公報
【発明の概要】
【発明が解決しようとする課題】
【００２２】
本発明は上記問題点を鑑み、流動性充填物が通過することによって発生する毛細管現象と、表面張力による密着効果によってフィルム状逆止弁としての作用を有する流動経路を流動性充填物包装体の内側領域に形成して、充填される流動性充填物を空気に晒すことなく注出することができる二重収納構造体の提供を図ることを課題とする。
【課題を解決するための手段】
【００２３】
本発明は、上記課題を解決するためになされるもので、所定の形状に型抜きされた重なり合う表裏二枚の軟質フィルムシートの上端部ならびに側面端部に融着フラップ部を形成して袋状に融着・接合すると共に、上部中央にはノズル挿入口を設けて成る非自立性の流動性充填物包装体であって、前記上端部に形成される融着フラップ部及びノズル挿入口の下端から所定間隔を空けて重なり合う表裏二枚の軟質フィルムシート同士を融着・接合して融着領域部を設けることで、該融着フラップ部と融着領域部によって囲まれる袋体の内側領域に流動経路が形成されて成り、流動性充填物が通過することによって発生する毛細管現象と表面張力による密着効果によって、前記流動経路をフィルム状逆止弁として作用させる手段を採る。
【００２４】
また本発明は、充填される流動性充填物を空気に晒すことなく注出する二重収納構造体であって、請求項１に記載の流動性充填物包装体と、注出機能ならびに密封機能を有する注出ノズルキャップと、自立性を備えるスクイズカバー体によって構成され、前記注出ノズルキャップは、キャップ本体に注出ノズルを上方または横方向に突出して設け、下方には前記流動性充填物包装体と前記スクイズカバー体とに融着・接合される挿入ノズルならびに段差部を設けて成り、前記スクイズカバー体は、柔軟性および形状復元性を備える硬質フィルムシートを所定の形状に成形し、上端部ならびに側面端部に融着フラップ部を形成して成り、前記注出ノズルキャップの挿入ノズルを前記流動性充填物包装体のノズル挿入口に挿入して融着・接合すると共に、前記流動性充填物包装体の融着フラップ部を表裏二枚の前記スクイズカバー体の融着フラップ部で挟み込んで融着・接合し、かつ、前記スクイズカバー体の上端部所定箇所を夫々前記挿入ノズルの段差部に融着・接合した手段を採る。
【００２５】
また本発明は、前記スクイズカバー体の側面両側に、折れ線によって形成される略三角状のマチ部を設けた手段を採る。
【００２６】
また本発明は、前記スクイズカバー体の表面を等分する位置に、下端から上方に向かって適宜に延設される折れ線を設けた手段を採る。
【００２７】
また本発明は、前記注出ノズルキャップがヒンジによって開閉される蓋体を備えて成り、該蓋体の内側に設けられる突起状の止栓棒状体が前記キャップ本体に設けられる注出ノズルの注出ノズル孔に挿入されることで、止栓・密封機能を備える手段を採る。
【００２８】
また本発明は、前記スクイズカバー体が、柔軟性および形状復元性を備える硬質の合成樹脂素材で射出成型されて成り、前記流動性充填物包装体の融着フラップ部を、表裏二枚の前記スクイズカバー体の融着フラップ部で挟み込んで融着・接合して成る手段を採る。
尚、本手段を採用する場合に、前記流動性充填物包装体について、内側領域に設けられている融着領域部を省略することでフィルム状逆止弁として作用する流動経路が省略されて成る構成を採ることも可能である。
【発明の効果】
【００２９】
本発明のフィルム状逆止弁作用を備える流動性充填物包装体によれば、融着フラップ部と融着領域部によって囲まれる袋体の内側領域に流動経路が形成され、流動性充填物が通過することによって発生する毛細管現象と表面張力による密着効果により、流動経路がフィルム状逆止弁として作用することによって、粘性の低い醤油などの流動性充填物を空気に触れない状態で最後まで残らず注出することができると共に、注出ノズル孔が、外部に突出しない構造によって外気に晒されることがない上、周辺の収納容器や食品に接触することなく、衛生面において優れた効果を奏する。
【００３０】
また本発明のフィルム状逆止弁作用を備える流動性充填物包装体とそれを利用した二重収納構造体によれば、流動性充填物包装体に充填されている流動性充填物を注出する構造であるため、液状を始めとして練り状、ジェル状、粘性の高い流動性充填物をスクイズカバー体で一様に押し延べて注出することができるといった優れた効果を奏する。
【００３１】
また本発明のフィルム状逆止弁作用を備える流動性充填物包装体とそれを利用した二重収納構造体によれば、流動性充填物包装体に充填されている流動性充填物に空気に触れない物理的外圧手段で注出する構造であると共に、流動性充填物包装体の流動経路の出口が傾斜角を形成して上方に向いていることによって外気の流入があっても注出時に自然と外部に排出されるため、充填されている流動性充填物の酸化防止ならびに鮮度維持が図られるといった優れた効果を奏する。
【００３２】
また本発明のフィルム状逆止弁作用を備える流動性充填物包装体とそれを利用した二重収納構造体によれば、スクイズカバー体がスクイズ状態から形状復元することで二重収納構造体自体が自立することができるため、収納や使い勝手が良い上に、流動性充填物包装体の収納形状を問うことなく、簡易形状且つ安価な二重収納構造体とすることができるといった優れた効果を奏する。
【００３３】
また本発明のフィルム状逆止弁作用を備える流動性充填物包装体とそれを利用した二重収納構造体によれば、二重収納構造体の上部中央に注出ノズルキャップまたは止栓機能付き注出ノズルキャップを取り付けることによって、二重収納構造体が倒れた状態においても流動性充填物が流動性充填物包装体から漏出することがない上、流動性充填物包装体内に侵入する空気を注出する際に流動性充填物包装体外に一掃して排出するといった優れた効果を奏する。
【００３４】
また本発明のフィルム状逆止弁作用を備える流動性充填物包装体とそれを利用した二重収納構造体によれば、流動性充填物包装体の融着フラップ部をスクイズカバー体の融着フラップ部で挟持して融着・接合する構造から、流動性充填物包装体が安定的に注出できるといった優れた効果を奏する。
【００３５】
また本発明のフィルム状逆止弁作用を備える流動性充填物包装体とそれを利用した二重収納構造体によれば、フィルム状逆止弁効果を有する流動経路を流動性充填物包装体内に設けられることによって、衝撃、接触、乾燥または濡れ具合によって流動経路の密着性が確実に維持できるといった優れた効果を奏する。
【００３６】
また本発明のフィルム状逆止弁作用を備える流動性充填物包装体とそれを利用した二重収納構造体によれば、スクイズカバー体内に流動性充填物包装体を内蔵する構造によって流動性充填物包装体の注出される形状と関係なくスクイズカバー体の外観形状をデザインすることができることから、スクイズカバー体の表面に色彩、ロゴ、エンボス装飾加工などを施すことによりデザイン性が高い外観形状とすることができると共に、成型金型を必要とすることなく、軽量性と実用性を備えた安価な二重収納構造体が提供できるといった優れた効果を奏する。
【図面の簡単な説明】
【００３７】
【図１】本発明における請求項１記載の流動性充填物包装体を示す全体斜視図である。（実施例１）
【図２】本発明における請求項２記載の二重収納構造体を示す説明図である。（実施例２）
【図３】本発明における請求項３記載の二重収納構造体を示す説明図である。（実施例３）
【図４】本発明における請求項４記載の二重収納構造体を示す説明図である。（実施例４）
【図５】本発明における二重収納構造体と類似する従来の二重収納構造体を比較する説明図である。
【図６】本発明における請求項５記載の二重収納構造体を示す説明図である。（実施例５）
【図７】本発明における請求項６記載の二重収納構造体を示す説明図である。（実施例６）
【図８】本発明における二重収納構造体の別の実施形態を示す説明図である。
【図９】本発明における二重収納構造体の使用状態を示す説明図である。
【図１０】本発明における二重収納構造体の別の使用状態を示す説明図である。
【図１１】本発明における二重収納構造体の別の使用状態を示す説明図である。
【発明を実施するための形態】
【００３８】
本発明にかかるフィルム状逆止弁作用を備える流動性充填物包装体とそれを利用した二重収納構造体は、重なり合う表裏二枚の軟質フィルムシート３６を袋体に形成した流動性充填物包装体３０と、それを利用して充填される流動性充填物Ｓを空気に晒すことなく注出する二重収納構造体１０であって、注出ならびに密封機能を有する注出ノズルキャップ２０と、非自立性の流動性充填物包装体３０と、自立性を備えるスクイズカバー体４０によって構成され、該注出ノズルキャップ２０は、キャップ本体２５に注出ノズル２１を上方または横方向に突出して設け、下方には流動性充填物包装体３０とスクイズカバー体４０とに融着・接合される挿入ノズル２２ならびに段差部２３を設けて成り、流動性充填物包装３０は、所定の形状に型抜きされた重なり合う表裏二枚の軟質フィルムシート３６の上端部３２ａならびに側面端部３２ｂに融着フラップ部３２を形成して袋状に融着・接合すると共に、上部中央にはノズル挿入口３５を設け、さらに前記上端部３２ａに形成される融着フラップ部３２及びノズル挿入口３５の下端から所定間隔を空けて重なり合う表裏二枚の軟質フィルムシート３６同士を融着・接合して融着領域部３４を設けて、該融着フラップ部３２と融着領域部３４によって囲まれる袋体の内側領域に流動経路３３を形成することで、流動性充填物Ｓが通過することによって発生する毛細管現象と表面張力による密着効果によって前記流動経路３３がフィルム状逆止弁として作用する構成となっており、スクイズカバー体４０は、柔軟性および形状復元性を備える硬質フィルムシート４５を所定の形状に成形し、該上端部４１ａならびに側面端部４１ｂに融着フラップ部４１を形成して成り、注出ノズル２１の挿入ノズル２２を流動性充填物包装体３０のノズル挿入口３５に挿入して融着・接合すると共に、前記流動性充填物包装体３０の融着フラップ部３２を表裏二枚の前記スクイズカバー体４０の融着フラップ部４１で挟み込んで融着・接合し、かつ、前記スクイズカバー体４０の上端部所定箇所を夫々前記挿入ノズル２２の段差部２３に融着・接合した手段を採ったことを最大の特徴とする。
以下、本発明にかかるフィルム状逆止弁作用を備える流動性充填物包装体３０とそれを利用した二重収納構造体１０の実施形態を、図面を基に説明する。
【００３９】
なお、本発明におけるフィルム状逆止弁機能を備える流動性充填物包装体３０とそれを利用した二重収納構造体１０は、以下に述べる実施例に特に限定されるものではなく、外形形状や寸法ならびに材質は、本発明の趣旨に逸脱しない範囲で任意に変更することができる。
【実施例１】
【００４０】
図１は、本発明における請求項１記載の流動性充填物包装体を示す全体斜視図である。
本発明におけるフィルム状逆止弁作用を備える流動性充填物包装体３０は、例えば、所定の形状に型抜きされた厚み略４０μｍ程度のポリエチレン（ＰＥ）やポリプロピレン（ＰＰ）製などから成る重なり合う表裏二枚の軟質フィルムシート３６の上端部３２aならびに側面端部３２bに融着フラップ部３２を形成して三方シールまたは四方シールの袋状に融着・接合すると共に、上部中央にはノズル挿入口３５を設けて成り、さらに融着フラップ部３２と融着領域部３４によって囲まれる流動性充填物Ｓを収納する袋体の内側領域に、該流動性充填物Ｓが通過することによって発生する毛管現象と表面張力による密着効果によってフィルム状逆止弁として作用する流動経路３３が形成されて成る。
なお、流動性充填物包装体３０は、所定の形状に型抜きされた一枚の軟質フィルムシート３６を二つ折りにして重ね合わせて三方シールの袋状に融着・接合する態様、あるいは、二枚の軟質フィルムシート３６を重ね合わせて四方シールの袋状に融着・接合する態様によって形成される。
【００４１】
融着フラップ部３２は、流動性充填物包装体３０の上端部３２ａならびに側面端部３２ｂを設けて、該流動性充填物包装体３０を三方シールまたは四方シールの袋状に融着・接合すると共に、流動性充填物包装体３０の上端部３２ａならびに側面端部３２ｂを延設して流動性充填物包装体３０とスクイズカバー体４０を融着・接合する目的で形成される。
【００４２】
流動経路３３は、融着フラップ部３２と融着領域部３４によって囲まれる袋体の内側領域に形成され、流動性充填物Ｓが通過することによって毛細管現象と表面張力による密着効果を発生させると共に、流動性充填物包装体３０内に外気が侵入するのを自動的に阻止するフィルム状逆止弁作用を機能させる箇所で、重なり合う表裏二枚の軟質フィルムシート３６を利用して、流動性充填物包装体３０の内側領域に形成される。
また、流動経路３３の上端部３２ａを両側下方に向かって傾斜をつけることによって、流動性充填物包装体３０内に侵入した外気を流動性充填物Ｓの注出時と同時に流動性充填物包装体３０外に容易に排出する形状とすることができる。
【００４３】
融着領域部３４は、流動経路３３を流動性充填物包装体３０内に設けるために流動性充填物包装体３０の収納部の一部をプレス圧加工によって融着したもので、該流動性充填物包装体３０の上端部３２ａに形成される融着フラップ部３２及びノズル挿入口３５の下端から所定間隔を空けて重なり合う表裏二枚の軟質フィルムシート３６同士を融着・接合して設けられる。さらに融着フラップ部３２と融着領域部３４で囲まれる袋体の内側領域に流動経路３３が形成され、該流動経路３３はフィルム状逆止弁として機能する。
なお、図示では明確に作図表示されていないが、融着領域部３４の下辺部は、両側に位置する流動経路３３に向かって流動性充填物Ｓが流動し易い山形形状を形成していることが好ましい。
【００４４】
流動性充填物Ｓは、液体調味料に限定されず、粘性の調味料、飲料、食材、化粧品、画材、塗料、潤滑剤、洗剤、洗髪料、消毒剤、薬剤等のあらゆる流動性の充填物を使用することができる
【００４５】
以上で構成される請求項１記載の流動性充填物包装体３０は、フィルム状逆止弁が、流動性充填物包装体３０の重なり合う表裏二枚の軟質フィルムシート３６を利用して袋体の内側領域に形成されることによって、注出ノズル孔２１aを流動性充填物包装体３０の外部に突出させることなく、流動性充填物Ｓの逆流を防止するフィルム逆止弁効果を発生させることができる。
【実施例２】
【００４６】
図２は、本発明における請求項２記載の二重収納構造体を示す説明図であり、図２（ａ）は各構成要素を示す分解斜視図、図２（ｂ）は組み合わせた状態を示す全体斜視図である。
本発明における二重収納構造体１０は、充填される流動性充填物Ｓを空気に晒すことなく注出する二重収納構造体１０であって、該二重収納構造体１０は、注出ならびに密封機能を有する注出ノズルキャップ２０と、上記実施例１に記載の流動性充填物包装体３０と、自立性を備えるスクイズカバー体４０と、によって構成されている。
【００４７】
注出ノズルキャップ２０は、キャップ本体２５に注出ノズル２１を上方または横方向に突出して設け、下方には流動性充填物包装体３０に融着・接合される挿入ノズル２２を設け、さらにスクイズカバー体４０に融着・接合される段差部２３を形成して、流動性充填物包装体３０に充填されている流動性充填物Ｓを注出ノズル孔２１aから外部に注出して形成される。
【００４８】
スクイズカバー体４０は、例えば、厚み略８０〜１８０μｍ程度のポリエチレンテレフタレート（ＰＥＴ）、ポリプロピレン（ＰＰ）、ナイロン（ＰＡ）製などの柔軟性および形状復元性を備える硬質フィルムシート４５を所定の形状に成形し、上端部４１ａならびに側面端部４１ｂに融着フラップ部４１を形成して成り、流動性充填物包装体３０の融着フラップ部３２を表裏二枚のスクイズカバー体４０の融着フラップ部４１で挟み込んで融着・接合すると共に、スクイズカバー体４０の上端部４１ａ所定箇所が夫々前記注出ノズルキャップ２０における挿入ノズル２２の段差部２３に融着・接合される。
【００４９】
融着フラップ部４１は、流動性充填物包装体３０の融着フラップ部３２の上端部３２ａを吊持すると共に側面端部３２ｂを吊持・固定する目的で設けられるため、ノズル挿入口３５の周縁以外はスポット的な任意箇所に溶着・固定される方法であっても良い。
【００５０】
スクイズカバー体４０の下端には、開口部４４が形成されている。すなわち、該開口部４４は、流動性充填物包装体３０の融着フラップ部３２がスクイズカバー体４０の融着フラップ部４１に融着・接合されることによって、表裏二枚のスクイズカバー体４０の底面端が開放され、その結果、流動性充填物包装体３０が常時空気に触れている状態となっている。
【００５１】
図２（ｃ）は、二重収納構造体１０の底面の断面図を示す。
従来の類似する二重収納構造体と比較して底面の断面面積は同じであるが、高さ寸法Ｈが短縮されるため自立性の安定が図られる。
【００５２】
以上で構成される請求項２記載の二重収納構造体１０は、二重収納構造体１０全体を傾けるだけで流動性充填物Ｓの自重による自然滴下を可能にする（理由：軟質フィルムシート３６で形成される流動性充填物包装体３０が外側からの空気圧を均等に受けるため）と共に、スクイズカバー体４０をスクイズすることによって流動性充填物Ｓの大量注出を可能にするもので、さらに流動性充填物包装体３０内に設けられているフィルム状逆止弁作用を有する流動経路３３によって、充填される流動性充填物Ｓを空気に晒すことなく注出することができる。
【実施例３】
【００５３】
図３は、本発明における請求項３記載の二重収納構造体を示す説明図であり、図３（ａ）は全体斜視図を示す。
本発明における二重収納構造体１０は、スクイズカバー体４０の側面両側に折れ線によって形成される略三角状のマチ部４２を設けて、流動性充填物包装体３０の融着フラップ部３２と融着・接合して形成される。
【００５４】
マチ部４２は、スクイズカバー体４０の両側を横幅寸法Ｌ方向に延長すると共に、該スクイズカバー体４０の両側端部に折れ線４３によって形成され、該折れ線４３で折り曲げられることでスクイズカバー体４０の側面両側に略三角状に形成される。かかるマチ部４２は、通常は立体状に折り畳まれ、注出時にスクイズカバー体４０がスクイズされることによって平面状に押し延べされて、流動性充填物包装体３０内の流動性充填物Ｓを外部に注出することができる。
【００５５】
図３（ｂ）は、二重収納構造体１０の底面の断面図を示す。
従来の類似する二重収納構造体１０と比較して奥行き寸法Ｄを増すことによって底面の断面面積がやや拡大されるため自立性の安定が図られる。
【００５６】
以上で構成される請求項３記載の二重収納構造体１０は、スクイズカバー体４０の側面両側に折れ線４３によって形成される略三角状のマチ部４２を設けることで、流動性充填物包装体３０の収納容量を増やすことができると共に、二重収納構造体１０自体の自立性の安定が図られる。
【実施例４】
【００５７】
図４は、本発明における請求項４記載の二重収納構造体を示す説明図であり、図４（ａ）は全体斜視図を示す。
本発明における二重収納構造体１０は、スクイズカバー体４０の表面を等分する位置に、下端から上方に向かって適宜に延設される折れ線４３を設けて形成される。
【００５８】
折れ線４３は、スクイズカバー体４０の表面を等分する位置に、下端から上方に向かって適宜に延設されるもので、通常は角形状に折り畳まれ、注出時にスクイズカバー体４０がスクイズされることによって、平面状に押し延べされて流動性充填物包装体３０内の流動性充填物Ｓを外部に注出することができる。
【００５９】
図４（ｂ）は、二重収納構造体１０の底面の断面図を示す。
従来の類似する二重収納構造体１０と比較して奥行き寸法Ｄを増すことによって底面の断面面積が大幅に拡大されるため、自立性の安定が図られる。
【００６０】
以上で構成される請求項４記載の二重収納構造体１０は、スクイズカバー体４０の側面両側に表面を等分する位置に、下端から上方に向かって適宜に延設される折れ線４３を設けることによって、流動性充填物包装体３０の収納容量を増やすことができると共に、二重収納構造体１０自体の自立性の安定が図られる。
【００６１】
図５は、本発明における二重収納構造体と類似する従来の二重収納構造体を比較する説明図であり、
図５（ａ）は類似する従来の二重収納構造体の全体斜視図、図５（ｂ）は請求項２記載の二重収納構造体１０の全体斜視図、図５（ｃ）は請求項３記載の二重収納構造体１０の全体斜視図、図５（ｃ）は請求項４記載の二重収納構造体１０の全体斜視図を示している。
本発明における二重収納構造体１０と類似する従来の二重収納構造体を比較すると、下記のような相違点が挙げられる。
（１）流動性充填物包装体３０の上方に注出ノズルキャップ２０が設けられると共に、フィルム状逆止弁効果を備える流動経路３３が流動性充填物包装体３０の内側領域に設けられる構造から、従来の流動性充填物包装体３０の上部に位置する平面的な収納部と両隅部が省略されることよって、二重収納構造体１０全体のコンパクト化が図れる。
（２）上記の高さ寸法Ｈのコンパクト化とマチ部４２や折れ線４３が設けられて底面積が拡張することによって、二重収納構造体１０の自立性の安定化が図られる。
（３）フィルム状逆止弁の先端部が外部に露出しない構造であるため、衛生的である。
（４）流動性充填物包装体３０の薄手の軟質フィルムシート３６を利用してフィルム状逆止弁作用を備える流動経路３３を形成することができるため、逆止弁効果を向上させることができる。
（５）注出ノズルキャップ２０と流動経路３３が長いフィルム状逆止弁で形成されていることによって、二重収納構造体１０を強く握っても流動性充填物３０が一挙に射出しないと共に、二重収納構造体１０を単に傾けることによって適量の流動性充填物Ｓを自重で自然滴下させることができる。（理由：軟質フィルムシート３６で形成される流動性充填物包装体３０が外側からの空気圧を均等に受けるため。以下同様）さらに注出ノズルキャップ２０が最上端に設けてられているため、流動性充填物包装体３０内に流入した空気を袋体内に留めることなく排出することができる。
（６）フィルム状逆止弁の流動経路３３の経路幅をやや広くしたり、傾斜角度を変更したりする設計変更を行うことにより、粘性の低い醤油などの流動性充填物Ｓから粘性の高いマヨネーズなどの流動性充填物Ｓまで幅広く注出することができる。
【実施例５】
【００６２】
図６は、本発明における請求項５記載の二重収納構造体を示す説明図であり、図６（ａ）は止栓機能付き注出ノズルキャップ２４の分解斜視図、図６（ｂ）は止栓機能付き注出ノズルキャップ２４の全体斜視図を示している。
本発明における止栓機能付き注出ノズルキャップ２４は、ヒンジ２９によって開閉される蓋体２７を備えて成り、該蓋体２７の内側に設けられる突起状の止栓棒状体２８がキャップ本体２５に設けられる注出ノズル２６の注出ノズル孔２６ａに挿入されることで、止栓・密封機能を備えている。かかる止栓機能付き注出ノズルキャップ２４は、流動性充填物包装体３０とスクイズカバー体４０とに融着・接合される。
【００６３】
以上で構成される請求項５記載の二重収納構造体１０は、粘性の高い流動性充填物Ｓに使用する際、流動性充填物包装体３０内に設けられる流動経路３３を流動性充填物Ｓが通過することによって発生する毛細管現象と表面張力による密着効果が機能しない場合に、フィルム状逆止弁作用を補助する目的で設けられるもので、かかるフィルム状逆止弁作用と止栓機能付き注出ノズルキャップ２４の密封機能によって、充填される流動性充填物Ｓを空気に晒すことなく注出することができる。
【実施例６】
【００６４】
図７は、本発明における請求項６ならびに請求項７記載の二重収納構造体１０を示す説明図である。
本発明における請求項６記載の二重収納構造体１０は、スクイズカバー体４０が、柔軟性および形状復元性を備える硬質の合成樹脂素材で射出成型されて成り、流動性充填物包装体３０の融着フラップ部３２を、表裏二枚のスクイズカバー体４０の融着フラップ部４１で挟み込んで融着・接合して形成される。
また、本発明における請求項７記載の二重収納構造体１０は、上記請求項６にかかる二重収納構造体１０において、流動性充填物包装体３０が、内側領域に設けられている融着領域部３４を省略することでフィルム状逆止弁として作用する流動経路３３が省略されて成る構成となっている。
【００６５】
図７（ａ）は、請求項６にかかる二重収納構造体１０を示しており、流動性充填物包装体３０の内側領域に流動経路３３が設けられているものである。
すなわち、請求項６記載の二重収納構造体１０に、フィルム状逆止弁として作用する流動経路３３を設けた流動性充填物包装体３０を使用するものである。
【００６６】
図７（ｂ）は、請求項７にかかる二重収納構造体１０を示しており、流動性充填物包装体３０の内側領域に設けられている流動経路３３が省略されているものである。
すなわち、請求項７記載の二重収納構造体１０は、流動性充填物包装体３０が融着領域部３４を省略することでフィルム状逆止弁として作用する流動経路３３が省略されて成ると共に、スクイズカバー体４０が柔軟性および形状復元性を備える厚み略２５０μｍ程度のポリエチレンテレフタレート（ＰＥＴ）、ポリプロピレン（ＰＰ）、ナイロン（ＰＡ）製などの硬質の合成樹脂素材で射出成型されて成り、該流動性充填物包装体３０の融着フラップ部３２を、表裏二枚のスクイズカバー体４０の融着フラップ部４１で挟み込んで融着・接合して形成される。
【００６７】
流動性充填物包装体３０に充填される流動性充填物Ｓとして、マヨネーズ、ケチャップ、マスタードなどの比較的粘性がある流動性充填物Ｓが充填される場合に、本実施例の二重収納構造体１０が有効に機能するもので、請求項１記載の流動性充填物包装体３０の他にフィルム状逆止弁作用を備えていない流動性充填物包装体３０を使用することができる。
【００６８】
スクイズカバー体４０内に収容される流動性充填物包装体３０には粘性があるマヨネーズ、ケチャップ、マスタードなどの流動性充填物Ｓが大量に充填されるため、該スクイズカバー体４０は表裏二枚の柔軟性および形状復元性を備える硬質の合成樹脂素材で射出成型して形成される。
【００６９】
以上で構成される請求項６及び請求項７記載の二重収納構造体１０は、マヨネーズ、ケチャップ、マスタードなどが充填される場合を想定しているが、ソース、焼肉のたれ、ドレッシング、液状味噌などの比較的粘性の低い調味料の場合でも、フィルム状逆止弁作用を有する流動経路３３の経路幅をやや広くしたり、傾斜角度を変更したりする設計変更を行うことにより、流動性充填物Ｓを空気に晒すことなく注出することができる。
【００７０】
図８は、本発明における二重収納構造体の別の実施形態を示す説明図である。
図示される図（ａ）〜図（ｈ）は、本発明における二重収納構造体１０の別の実施形態を示す。
図（ａ）はスタンドパック型の二重収納構造体１０を示す。
図（ｂ）はハンディパック型の二重収納構造体１０を示す。
図（ｃ）は配膳型の二重収納構造体１０を示す。
図（ｄ）は真空パック型の二重収納構造体１０を示す。
図（ｅ）は卓上型の二重収納構造体１０を示す。
図（ｆ）はマヨネーズ型の二重収納構造体１０を示す。
図（ｇ）はボトル型の二重収納構造体１０を示す。
図（ｈ）はドレッシング型の二重収納構造体１０を示す。
以上における上記二重収納構造体１０は、融着フラップ部３２，４１を可能な限り突出幅を小さくして融着・接合することによって使用時において握りしやすくしている。
【００７１】
図９は、本発明における二重収納構造体の使用状態を示す説明図である。
粘性が低い醤油、酢などの液体の流動性充填物Ｓに使われる場合を例にとって説明する。
（１）請求項１記載の流動性充填物包装体３０を利用した、請求項２記載の二重収納構造体１０を用意する。
（２）二重収納構造体３０を任意の状態に傾けると、流動性充填物包装体３０内に充填されている液状の流動性充填物Ｓが、注出ノズル２１の注出ノズル孔２１ａの先端口から自重によって自然滴下する。
（３）さらに傾けた状態でスクイズカバー体４０を両側からスクイズすると、流動性充填物Ｓは注出ノズル２１の注出ノズル孔２１ａから勢い良く射出される。
（４）二重収納構造体１０を元の状態に戻すと、注出ノズル孔２１ａの出口付近に滞留している流動性充填物Ｓは、流動性充填物包装体３０内の流動経路３３を通って流動性充填物包装体３０内の下部に自重で降下して貯留される。
（５）そのとき、流動性充填物包装体３０内の流動経路３３が流動性充填物Ｓによって濡らされるため、流動経路３３を形成する重なり合う表裏二枚の軟質フィルムシート３６がお互いに密着することによって逆止弁効果が発生して、外部と隔離されて密封される。
（６）二重収納構造体１０を自立させた状態で、食卓や冷蔵庫に保存する。
【００７２】
図１０は、本発明における二重収納構造体の別の使用状態を示す説明図である。
ソース、焼肉のたれ、ドレッシング、液状味噌ならびにマヨネーズ、ケチャップ、マスタードなどのやや粘性のある流動性充填物Ｓに使われる場合を例にとって説明する。
（１）請求項１記載の流動性充填物包装体３０と請求項５記載の止栓機能付き注出ノズルキャップ２４を使用した、請求項２記載の二重収納構造体１０を用意する。
（２）止栓機能付き注出ノズルキャップ２４の蓋体２７を開蓋して、注出ノズル２６を露出させる。
（３）二重収納構造体１０を任意の状態に傾けると、流動性充填物包装体３０内に充填されているやや粘性のある流動性充填物Ｓが、止栓機能付き注出ノズルキャップ２４の注出ノズル孔２６ａの先端口から自重によって自然滴下する。
（４）さらに傾けた状態でスクイズカバー体４０を両側からスクイズすると、やや粘性のある流動性充填物Ｓは止栓機能付き注出ノズルキャップ２４の注出ノズル孔２６ａの出口から勢い良く射出される。
（５）二重収納構造体１０を元の状態に戻すと、注出ノズル孔２６ａの出口付近に滞留しているやや粘性のある流動性充填物Ｓは、流動性充填物包装体３０内のやや経路幅を拡げた流動経路３３を通って、流動性充填物包装体３０内の下部に自然降下して貯留される。
（６）そのとき流動性充填物包装体３０内の流動経路３３が流動性充填物Ｓによって濡らされるため、流動経路３３を形成する重なり合う表裏二枚の軟質フィルムシート３６はお互いが密着することによって、逆止弁効果が発生して密封される。
（７）止栓機能付き注出ノズルキャップ２４の蓋体２７を閉蓋することによって、流動性充填物包装体３０内の流動性充填物Ｓは、外部と隔離されて密封される。
（８）スクイズカバー体４０が形状復元して自立した密封状態で、食卓や冷蔵庫に据え置き保存される。
【００７３】
図１１は、本発明における二重収納構造体の別の使用状態を示す説明図である。
マヨネーズ、ケチャップ、味噌、麹、マスタードなどの比較的粘性の高い流動性充填物Ｓに使われる場合を例にとって説明する。
なお、二重収納構造体１０の全体形状を小さくして、わさび、和からし、味噌、などを収納する二重収納構造体１０とすることもできる。
（１）請求項1記載の流動性充填物包装体３０ならびに請求項６記載の流動性充填物包装体３０と請求項５記載の止栓機能付き注出ノズルキャップ２４を使用した、請求項２記載の二重収納構造体１０を用意する。
（２）止栓機能付き注出ノズルキャップ２４の蓋体２７を開蓋して、注出ノズル２６を露出させる。
（３）スクイズカバー体４０を両側からスクイズすると、流動性充填物Ｓは止栓機能付き注出ノズルキャップ２４の注出ノズル孔２６ａの出口から練り状な状態で注出される。
（４）スクイズカバー体４０のスクイズ動作を止めると、外側のスクイズカバー体４０は元の形状に復元するが、内側の流動性充填物包装体３０はスクイズされた状態のまま維持され、流動性充填物Ｓは注出ノズル孔２６ａの出口付近に滞留する。
（５）さらに流動性充填物Ｓは、流動性充填物包装体３０内の流動経路３３内に滞留する。
（６）止栓機能付き注出ノズルキャップ２４の蓋体２７を閉蓋することによって、流動性充填物包装体３０内の流動性充填物Ｓは、外部と隔離されて密封される。
（７）スクイズカバー体４０が形状復元して自立した密封状態で、食卓や冷蔵庫に据え置き保存される。
なお、密封性を向上させる目的で、止栓機能付き注出ノズルキャップ２４の注出ノズル孔２６ａ内に簡易構造のフラップ式逆止弁を設けることも可能である。
【産業上の利用可能性】
【００７４】
本発明におけるフィルム状逆止弁作用を備える流動性充填物包装体とそれを利用した二重収納構造体１０は、液状調味料の二重収納構造体に限定されず、粘性の調味料、飲料、食材、化粧品、画材、塗料、潤滑剤、洗剤、洗髪料、消毒剤、薬剤等の流動性充填物を注出する二重収納構造体として幅広く利用できるもので、本発明における「フィルム状逆止弁作用を備える流動性充填物包装体とそれを利用した二重収納構造体」の産業上の利用可能性は極めて大であるものと解する。
【符号の説明】
【００７５】
１０    二重収納構造体
２０    注出ノズルキャップ
２１    注出ノズル
２１ａ  注出ノズル孔
２２    挿入ノズル
２３    段差部
２４    止栓機能付き注出ノズルキャップ
２５    キャップ本体
２６    注出ノズル
２６ａ  注出ノズル孔
２７    蓋体
２８    止栓棒状体
２９    ヒンジ
３０    流動性充填物包装体
３２    融着フラップ部
３２ａ  上端部
３２ｂ  側面端部
３３    流動経路
３４    融着領域部
３５    ノズル挿入口
３６    軟質フィルムシート
４０    スクイズカバー体
４１    融着フラップ部
４１ａ  上端部
４１ｂ  側面端部
４２    マチ部
４３    折れ線
４４    開口部
４５    硬質フィルムシート
Ｓ    流動性充填物
Ｈ    高さ寸法
Ｌ    幅寸法
Ｄ    奥行き寸法
【図１】
2014088209.tif 000003
【図２】
2014088209.tif 000004
【図３】
2014088209.tif 000005
【図４】
2014088209.tif 000006
【図５】
2014088209.tif 000007
【図６】
2014088209.tif 000008
【図７】
2014088209.tif 000009
【図８】
2014088209.tif 000010
【図９】
2014088209.tif 000011
【図１０】
2014088209.tif 000012
【図１１】
2014088209.tif 000013
【手続補正書】
【提出日】平成25年1月21日(2013.1.21)
【手続補正１】
【補正対象書類名】特許請求の範囲
【補正対象項目名】全文
【補正方法】変更
【補正の内容】
【特許請求の範囲】
【請求項１】
充填される流動性充填物を空気に晒すことなく注出する二重収納構造体であって、
非自立性の流動性充填物包装体と、注出機能ならびに密封機能を有する注出ノズルキャップと、自立性を備えるスクイズカバー体によって構成され、
前記流動性充填物包装体は、所定の形状に型抜きされた重なり合う表裏二枚の軟質フィルムシートの上端部ならびに側面端部に融着フラップ部を形成して袋状に融着・接合すると共に、上部中央にはノズル挿入口を設け、前記上端部に形成される融着フラップ部及びノズル挿入口の下端から所定間隔を空けて重なり合う表裏二枚の軟質フィルムシート同士を融着・接合して融着領域部を設けることで、該融着フラップ部と融着領域部によって囲まれる袋体の内側領域に流動経路が形成され、流動性充填物が通過することによって発生する毛細管現象と表面張力による密着効果によって、該流動経路がフィルム状逆止弁として作用する構成となっており、
前記注出ノズルキャップは、キャップ本体に注出ノズルを上方または横方向に突出して設け、下方には前記流動性充填物包装体と前記スクイズカバー体とに融着・接合される挿入ノズルならびに段差部を設けて成り、
前記スクイズカバー体は、柔軟性および形状復元性を備える硬質フィルムシートを所定の形状に成形し、上端部ならびに側面端部に融着フラップ部を形成して成り、
前記注出ノズルキャップの挿入ノズルを前記流動性充填物包装体のノズル挿入口に挿入して融着・接合すると共に、前記流動性充填物包装体の融着フラップ部を表裏二枚の前記スクイズカバー体の融着フラップ部で挟み込んで融着・接合し、かつ、前記スクイズカバー体の上端部所定箇所を夫々前記挿入ノズルの段差部に融着・接合したことを特徴とする二重収納構造体。
【請求項２】
前記スクイズカバー体の側面両側に、折れ線によって形成される略三角状のマチ部を設けたことを特徴とする請求項１に記載の二重収納構造体。
【請求項３】
前記スクイズカバー体の表面を等分する位置に、下端から上方に向かって適宜に延設される折れ線を設けたことを特徴とする請求項１または請求項２に記載の二重収納構造体。
【請求項４】
前記注出ノズルキャップがヒンジによって開閉される蓋体を備えて成り、該蓋体の内側に設けられる突起状の止栓棒状体が前記キャップ本体に設けられる注出ノズルの注出ノズル孔に挿入されることで、止栓・密封機能を備えることを特徴とする請求項１から請求項３のいずれかに記載の二重収納構造体。
【請求項５】
前記スクイズカバー体が、柔軟性および形状復元性を備える硬質の合成樹脂素材で射出成型されて成り、
前記流動性充填物包装体の融着フラップ部を、表裏二枚の前記スクイズカバー体の融着フラップ部で挟み込んで融着・接合したことを特徴とする請求項１から請求項４のいずれかに記載の二重収納構造体。
【手続補正２】
【補正対象書類名】明細書
【補正対象項目名】全文
【補正方法】変更
【補正の内容】
【発明の詳細な説明】
【技術分野】
【０００１】
フィルム状逆止弁としての作用を有する流動経路を流動性充填物包装体の内側領域に形成して、充填される流動性充填物を空気に晒すことなく注出することができる二重収納構造体に関する。
【背景技術】
【０００２】
従来における調味料、飲料、食材、食品、化粧品、画材、塗料、潤滑剤、洗剤、洗髪料、消毒剤、薬剤等の流動性充填物を収容する充填容器を形状的に分類すると、ジェル状もしくは粘性の高い材料が充填されるチューブ容器と、液体や気体を始めとするあらゆる流動性充填物が充填される金属、プラスチック、ガラス、陶器製の固形容器と、液体や調理具材が充填される袋状容器とに大別される。
【０００３】
上記のチューブ容器は、押出し性が良いことからジェル状または粘性の高い練製品に多く使われており、また固形容器は、自立性、保存性、利便性、堅牢性、安全性が高いという特徴を有し、さらに袋状容器は、軽量且つ安価な上、製造・流通過程での物流コストの削減が図られるという特性を有することから、充填される流動性充填物の内容物によって充填容器の種類が使い分けられている。
【０００４】
近年において健康志向や安全性が強く要求される中、食品、調味料、化粧水の分野においては、充填される流動性充填物が空気に晒され酸化することによって鮮度や品質が低下するのを防止すべく、二重容器が提案されている。
【０００５】
従来提案されている二重容器の基本的な構造は、内容器と外容器の中間に空気層を介在させ、該外容器を外方向からスクイズすることによって、内容器に充填される流動性充填物を空気圧を介して間接的に押し出す手法を採るものであった。
【０００６】
しかしながら、かかる注出容器の中間に空気層を介在させた二重容器は、内容器と外容器が其々袋状の容器体を形成していることによって容器自体の自立性がないという問題や、柔軟性のある内容器とスクイズ性を有する外容器と空気層とが互いに干渉し合って内容器に充填された流動性充填物を空気圧で最後まで押し出すことができないと同時に、必要以上の押し出し力を必要とする押出し性の問題、さらに内容器と外容器の中間に空気層が介在することで外圧が内容器に平均的にかかるため、局部的に残留する流動性充填物を一様に押し延べて注出できないという問題など、多くの課題を残すものであった。
【０００７】
上記の問題を解決すべく、従来より種々の提案がなされている。例えば、内容器と外容器の中間に空気層を介在させ、該外容器をスクイズすることによって内容器に充填される流動性充填物を空気圧を利用して間接的に押し出す構造の二重容器としては、従来の可撓性のマヨネーズ容器の中に、可撓性のないポリエチレン、ポリプロピレンなどの薄い食品用袋を入れ、外容器に空気穴を開けた「酸化防止容器」(特許文献1参照)が提案され、公知技術となっている。
【０００８】
しかしながら、上記の「酸化防止容器」の提案は、柔軟で可撓性のない内容器に充填されている流動性充填物を可撓性のある外容器の中間に空気層を介在させて間接的に押し出す構造であるため、局部的に残留する粘性の高い流動性充填物を注出することができないという問題や、空気圧を利用して間接的に押し出すために必要以上の押出し力が求められるという問題、そして粘性の低い液体などの流動性充填物の逆止弁効果が備わっていないという問題を解決することができないものであった。
【０００９】
また、注出キャップ部を備える充填袋体と、胴部がスクイズ性（可撓性）を有するスクイズ狭持具本体から構成される本出願人による「詰替用袋体収納容器ならびに詰替用袋体」(特許文献２参照)が提案され、公知技術となっている。
【００１０】
しかしながら、上記の「詰替用袋体収納容器ならびに詰替用袋体」の提案は、外容器がスクイズ性（可撓性）を有する樹脂容器であることから、容器自体の自立性と、局部的に残留する粘性の高い材料を注出することはできるが、空気圧を利用して間接的に押し出す構造であるため、必要以上の押し出し力が求められるという問題や、粘性の低い液体などの流動性充填物の逆流を防止するという問題を解決することができないものであった。
【００１１】
また柔軟な袋体に筒状の注出口が設けられた内容器と、該内容器を覆い復元可能にスクイズ性を有する外容器とから構成される「二重構造スクイズ狭持具」(特許文献４参照)が提案され、公知技術となっている。
【００１２】
しかしながら、上記の「二重構造スクイズ狭持具」の提案は、蓋部の構造が複雑構造となることから製造コストの高騰を招くと共に、外容器がスクイズ性（可撓性）を有する樹脂容器であることから容器自体の自立性は確保できるが、空気圧を利用して間接的に押し出す構造であるため必要以上の押出し力が求められるという問題を解決することができないものであった。
【００１３】
一方、外容器に空気層を介在させない物理的外圧を掛けて内容器に充填される流動性充填物を直接的に押し出す構造のものとしては、上方に抽出口を設けた自立型可撓性液体収納袋と、この自立型可撓性液体収納袋を自立させることができる受部を設けると共に、この受部に立設した枠部又は背面部の上端部に抽出口を露出し得る孔を上方所定位置に穿設した適宜形状の押圧体を回動自在に設けた液体抽出体と、により構成された「自立型可撓性液体収納袋用液体抽出器」(特許文献４参照)が提案され、公知技術となっている。
【００１４】
しかしながら、上記の「自立型可撓性液体収納袋用液体抽出器」の提案は、抽出器自体が特殊構造を有する袋体（抽出口が横向き）を使用する構造から、一般的に市販されている収納袋（充填容器）を使用することができない上に、挟持部が露出して安全性や美観性に欠けるものであり、さらに直立面の片方が直角であるため自立性の安定感に欠け、抽出に当たっては使い勝手が悪い横向きのキャップ付き抽出パイプを装着しなければならないなど、使用時ならびに交換時において手間や煩雑さを必要とするものであった。
【００１５】
他方、流通段階において輸送コストの低減が図られ、充填容器の使い捨てができるスタンドパック型の液体注出容器が開発されてきている。例えば、空気に触れると酸化して品質が劣化する商品を、液体の流動性と、パイプ、袋の可塑性、外気圧、を利用して液体自身に空気の逆流防止弁の働きをさせることより、開封後も空気に触れる面積を最小限に押さえ、内容物の品質を長持ちさせることができる「液体商品の酸化防止容器」が(特許文献５参照)が提案され、公知技術となっている。
【００１６】
しかしながら、上記の「液体商品の酸化防止容器」の提案は、袋の内側に片端に添って底近くまでの長さを持つパイプを取り付け、袋内に嫌気性の液体を注入後、最上部を閉じる構造の袋状の容器であることから、粘性の高い流動性充填物の酸化防止容器として使用できるが、粘性の低い液体の酸化防止容器としては、液体を注出中にスクイズ作用を一時期的に中止した状態でキャップを閉める必要がある逆止弁効果作用を備えない構造であることから、実用性の低い酸化防止容器となっている。
【００１７】
また、抽出素材封入用フィルターバッグと共に充填したお茶やコーヒー等の注出液の風味を劣化させることなく、充填初期の新鮮な状態を長期に亘って保持することのできる「飲料水用ダブルパック包装袋および飲料水・抽出素材共充填型包装構造体」(特許文献６参照)や、逆止ノズル注出孔を突設してなる包装袋に液状被包装物を充填してなる、非自立形の流動性充填物包装体と、これを収納保持するために用いられる自立形外容器と、からなる包装構造体において、充填した液状被包装物が酸化されたり、汚染されたりすることがなく、さらに輸送や取り扱い時に倒れる等しても変形や破損することのない「液状物充填包装構造体」(特許文献７参照)が提案され、公知技術となっている。
【００１８】
しかしながら、上記の「飲料水用ダブルパック包装袋および飲料水・抽出素材共充填型包装構造体」においては、軟質積層フィルムからなる包装袋本体の一縁部に、重なり合う軟質積層プラスチックフィルムの相互間に形成される注出通路内に液状物が介在するときにフィルム相互の密着作用によって外気の袋内への侵入を阻止する逆止機能を生ずる平坦なフィルム状逆止ノズルを突設してなるフレキシブル包装袋と、そのフレキシブル包装袋内に液中シール充填される液体と共に気密下に収納される、茶類やコーヒー、果実などの抽出素材を封入してなるフィルターバッグと、からなる構造であることや、一方の「液状物充填包装構造体」においては、逆止機能を有する液体ノズル注出孔を突設してなる軟質プラスチック包装袋内に、液状被包装物を気密下に充填してなる非自立形の流動性充填物包装体と、この流動性充填物包装体を収納保持するための硬質プラスチックまたは紙製の円筒状または角筒状の自立形の外容器と、からなる液状物充填包装構造体であって、この外容器は、その上端部または一側縁上部に、流動性充填物包装体の液体ノズル注出孔を出し入れ可能に収容するための注出用口部を突設してなる構造であることから、下記に示す問題点が指摘されるものである。
【００１９】
（１）平面的なフィルム状逆止弁が使用されているため、粘性の高い流動性充填物を注出する場合、フィルム状逆止弁における密着性効果が発生しないという問題。
（２）フィルム状逆止弁の流動経路が外部に突出して短いため、使用中に流動性充填物包装体内に空気が流入することによって、流動性充填物が空気に晒されて鮮度維持と酸化防止が図れないという問題。
（３）フィルム状逆止弁によって密着性を維持しているため、衝撃、接触、乾燥または濡れ具合によってその密着性が維持できないという問題。
（４）製品が倒れた場合に、フィルム状逆止弁が開口して流動性充填物が零れ出すという問題。
（５）平面的なフィルム状逆止弁が外部に突出している構造であるため、常に外部の空気に晒され状態で取り付けられることによって、他の収納容器や食品に接触して不衛生であるという問題。
（６）流動性充填物包装体内に空気が混入した場合、フィルム状逆止弁の対向側上部片隅に空気が滞留してしまい、その空気を流動性充填物包装体外に排出する術がないという問題。
（７）流動性充填物の注出量を制御するフィルム状逆止弁の流動経路が短いため、スクイズカバー体を少しでも強く握ると流動性充填物が一気に注出されるため、手加減した状態で二重収納構造体を把持しなければならないという問題。
（８）製品の高さ寸法に対して底面積が小さいため、安定的な自立性がないという問題。
（９）流動性充填物包装体がスクイズカバー体内で吊持される構造から、流動性充填物包装体がスクイズカバー体内で宙吊りの状態になり、流動性充填物を安定した状態で注出することができないという問題。
以上のように、従来の二重収納構造体は多くの問題点を解決することができないでいるものであった。
【００２０】
本出願人は、以上のような内容器と外容器の間に空気層を介在させ、内容器に充填される流動性充填物をスクイズによる空気圧によって間接的に押し出す構造と、物理的外圧手段によって流動性充填物を押し出す構造の二重収納構造体における注出性、自立性、簡易性、衛生面の問題点に着目し、それらの問題点を簡便な構造と手段で一挙に解決することができないものかという着想の下、流動性充填物が通過することによって発生する毛細管現象と、表面張力による密着効果によってフィルム状逆止弁としての作用を有する流動経路を流動性充填物包装体の内側領域に形成して、充填される流動性充填物を空気に晒すことなく注出することができる二重収納構造体を開発し、本発明における「フィルム状逆止弁作用を備える流動性充填物包装体とそれを利用した二重収納構造体」の提案に至るものである。
【先行技術文献】
【特許文献】
【００２１】
【特許文献１】実用新案登録第３１４０７１０号公報
【特許文献２】特開２０１０-４２８６８号公報
【特許文献３】特開２００６-１１１３３５号公報
【特許文献４】特開２００３-１９２０４８号公報
【特許文献５】特開２００３-１０４４０１号公報
【特許文献６】特開２０１０-１５９０８７号公報
【特許文献７】特開２０１１-２１９１１５号公報
【発明の概要】
【発明が解決しようとする課題】
【００２２】
本発明は上記問題点を鑑み、流動性充填物が通過することによって発生する毛細管現象と、表面張力による密着効果によってフィルム状逆止弁としての作用を有する流動経路を流動性充填物包装体の内側領域に形成して、充填される流動性充填物を空気に晒すことなく注出することができる二重収納構造体の提供を図ることを課題とする。
【課題を解決するための手段】
【００２３】
本発明は、上記課題を解決するためになされるもので、所定の形状に型抜きされた重なり合う表裏二枚の軟質フィルムシートの上端部ならびに側面端部に融着フラップ部を形成して袋状に融着・接合すると共に、上部中央にはノズル挿入口を設けて成る非自立性の流動性充填物包装体について、前記上端部に形成される融着フラップ部及びノズル挿入口の下端から所定間隔を空けて重なり合う表裏二枚の軟質フィルムシート同士を融着・接合して融着領域部を設けることで、該融着フラップ部と融着領域部によって囲まれる袋体の内側領域に流動経路が形成されて成り、流動性充填物が通過することによって発生する毛細管現象と表面張力による密着効果によって、前記流動経路をフィルム状逆止弁として作用させる手段を採る。
【００２４】
また本発明は、充填される流動性充填物を空気に晒すことなく注出する二重収納構造体であって、前記流動性充填物包装体と、注出機能ならびに密封機能を有する注出ノズルキャップと、自立性を備えるスクイズカバー体によって構成され、前記注出ノズルキャップは、キャップ本体に注出ノズルを上方または横方向に突出して設け、下方には前記流動性充填物包装体と前記スクイズカバー体とに融着・接合される挿入ノズルならびに段差部を設けて成り、前記スクイズカバー体は、柔軟性および形状復元性を備える硬質フィルムシートを所定の形状に成形し、上端部ならびに側面端部に融着フラップ部を形成して成り、前記注出ノズルキャップの挿入ノズルを前記流動性充填物包装体のノズル挿入口に挿入して融着・接合すると共に、前記流動性充填物包装体の融着フラップ部を表裏二枚の前記スクイズカバー体の融着フラップ部で挟み込んで融着・接合し、かつ、前記スクイズカバー体の上端部所定箇所を夫々前記挿入ノズルの段差部に融着・接合した手段を採る。
【００２５】
また本発明は、前記スクイズカバー体の側面両側に、折れ線によって形成される略三角状のマチ部を設けた手段を採る。
【００２６】
また本発明は、前記スクイズカバー体の表面を等分する位置に、下端から上方に向かって適宜に延設される折れ線を設けた手段を採る。
【００２７】
また本発明は、前記注出ノズルキャップがヒンジによって開閉される蓋体を備えて成り、該蓋体の内側に設けられる突起状の止栓棒状体が前記キャップ本体に設けられる注出ノズルの注出ノズル孔に挿入されることで、止栓・密封機能を備える手段を採る。
【００２８】
また本発明は、前記スクイズカバー体が、柔軟性および形状復元性を備える硬質の合成樹脂素材で射出成型されて成り、前記流動性充填物包装体の融着フラップ部を、表裏二枚の前記スクイズカバー体の融着フラップ部で挟み込んで融着・接合して成る手段を採る。
尚、本手段を採用する場合に、前記流動性充填物包装体について、内側領域に設けられている融着領域部を省略することでフィルム状逆止弁として作用する流動経路が省略されて成る構成を採ることも可能である。
【発明の効果】
【００２９】
本発明にかかるフィルム状逆止弁作用を備える流動性充填物包装体によれば、融着フラップ部と融着領域部によって囲まれる袋体の内側領域に流動経路が形成され、流動性充填物が通過することによって発生する毛細管現象と表面張力による密着効果により、流動経路がフィルム状逆止弁として作用することによって、粘性の低い醤油などの流動性充填物を空気に触れない状態で最後まで残らず注出することができると共に、注出ノズル孔が、外部に突出しない構造によって外気に晒されることがない上、周辺の収納容器や食品に接触することなく、衛生面において優れた効果を奏する。
【００３０】
また本発明のフィルム状逆止弁作用を備える流動性充填物包装体を利用した二重収納構造体によれば、流動性充填物包装体に充填されている流動性充填物を注出する構造であるため、液状を始めとして練り状、ジェル状、粘性の高い流動性充填物をスクイズカバー体で一様に押し延べて注出することができるといった優れた効果を奏する。
【００３１】
また本発明のフィルム状逆止弁作用を備える流動性充填物包装体を利用した二重収納構造体によれば、流動性充填物包装体に充填されている流動性充填物に空気に触れない物理的外圧手段で注出する構造であると共に、流動性充填物包装体の流動経路の出口が傾斜角を形成して上方に向いていることによって外気の流入があっても注出時に自然と外部に排出されるため、充填されている流動性充填物の酸化防止ならびに鮮度維持が図られるといった優れた効果を奏する。
【００３２】
また本発明のフィルム状逆止弁作用を備える流動性充填物包装体を利用した二重収納構造体によれば、スクイズカバー体がスクイズ状態から形状復元することで二重収納構造体自体が自立することができるため、収納や使い勝手が良い上に、流動性充填物包装体の収納形状を問うことなく、簡易形状且つ安価な二重収納構造体とすることができるといった優れた効果を奏する。
【００３３】
また本発明のフィルム状逆止弁作用を備える流動性充填物包装体を利用した二重収納構造体によれば、二重収納構造体の上部中央に注出ノズルキャップまたは止栓機能付き注出ノズルキャップを取り付けることによって、二重収納構造体が倒れた状態においても流動性充填物が流動性充填物包装体から漏出することがない上、流動性充填物包装体内に侵入する空気を注出する際に流動性充填物包装体外に一掃して排出するといった優れた効果を奏する。
【００３４】
また本発明のフィルム状逆止弁作用を備える流動性充填物包装体を利用した二重収納構造体によれば、流動性充填物包装体の融着フラップ部をスクイズカバー体の融着フラップ部で挟持して融着・接合する構造から、流動性充填物包装体が安定的に注出できるといった優れた効果を奏する。
【００３５】
また本発明のフィルム状逆止弁作用を備える流動性充填物包装体を利用した二重収納構造体によれば、フィルム状逆止弁効果を有する流動経路を流動性充填物包装体内に設けられることによって、衝撃、接触、乾燥または濡れ具合によって流動経路の密着性が確実に維持できるといった優れた効果を奏する。
【００３６】
また本発明のフィルム状逆止弁作用を備える流動性充填物包装体を利用した二重収納構造体によれば、スクイズカバー体内に流動性充填物包装体を内蔵する構造によって流動性充填物包装体の注出される形状と関係なくスクイズカバー体の外観形状をデザインすることができることから、スクイズカバー体の表面に色彩、ロゴ、エンボス装飾加工などを施すことによりデザイン性が高い外観形状とすることができると共に、成型金型を必要とすることなく、軽量性と実用性を備えた安価な二重収納構造体が提供できるといった優れた効果を奏する。
【図面の簡単な説明】
【００３７】
【図１】本発明における流動性充填物包装体を示す全体斜視図である。（実施例１）
【図２】本発明における請求項１記載の二重収納構造体を示す説明図である。（実施例２）
【図３】本発明における請求項２記載の二重収納構造体を示す説明図である。（実施例３）
【図４】本発明における請求項３記載の二重収納構造体を示す説明図である。（実施例４）
【図５】本発明における二重収納構造体と類似する従来の二重収納構造体を比較する説明図である。
【図６】本発明における請求項４記載の二重収納構造体を示す説明図である。（実施例５）
【図７】本発明における請求項５記載の二重収納構造体を示す説明図である。（実施例６）
【図８】本発明における二重収納構造体の別の実施形態を示す説明図である。
【図９】本発明における二重収納構造体の使用状態を示す説明図である。
【図１０】本発明における二重収納構造体の別の使用状態を示す説明図である。
【図１１】本発明における二重収納構造体の別の使用状態を示す説明図である。
【発明を実施するための形態】
【００３８】
本発明にかかるフィルム状逆止弁作用を備える流動性充填物包装体を利用した二重収納構造体は、重なり合う表裏二枚の軟質フィルムシート３６を袋体に形成した流動性充填物包装体３０と、それを利用して充填される流動性充填物Ｓを空気に晒すことなく注出する二重収納構造体１０であって、注出ならびに密封機能を有する注出ノズルキャップ２０と、非自立性の流動性充填物包装体３０と、自立性を備えるスクイズカバー体４０によって構成され、該注出ノズルキャップ２０は、キャップ本体２５に注出ノズル２１を上方または横方向に突出して設け、下方には流動性充填物包装体３０とスクイズカバー体４０とに融着・接合される挿入ノズル２２ならびに段差部２３を設けて成り、流動性充填物包装体３０は、所定の形状に型抜きされた重なり合う表裏二枚の軟質フィルムシート３６の上端部３２ａならびに側面端部３２ｂに融着フラップ部３２を形成して袋状に融着・接合すると共に、上部中央にはノズル挿入口３５を設け、さらに前記上端部３２ａに形成される融着フラップ部３２及びノズル挿入口３５の下端から所定間隔を空けて重なり合う表裏二枚の軟質フィルムシート３６同士を融着・接合して融着領域部３４を設けて、該融着フラップ部３２と融着領域部３４によって囲まれる袋体の内側領域に流動経路３３を形成することで、流動性充填物Ｓが通過することによって発生する毛細管現象と表面張力による密着効果によって前記流動経路３３がフィルム状逆止弁として作用する構成となっており、スクイズカバー体４０は、柔軟性および形状復元性を備える硬質フィルムシート４５を所定の形状に成形し、該上端部４１ａならびに側面端部４１ｂに融着フラップ部４１を形成して成り、注出ノズル２１の挿入ノズル２２を流動性充填物包装体３０のノズル挿入口３５に挿入して融着・接合すると共に、前記流動性充填物包装体３０の融着フラップ部３２を表裏二枚の前記スクイズカバー体４０の融着フラップ部４１で挟み込んで融着・接合し、かつ、前記スクイズカバー体４０の上端部所定箇所を夫々前記挿入ノズル２２の段差部２３に融着・接合した手段を採ったことを最大の特徴とする。
以下、本発明にかかるフィルム状逆止弁作用を備える流動性充填物包装体３０を利用した二重収納構造体１０の実施形態を、図面を基に説明する。
【００３９】
なお、本発明におけるフィルム状逆止弁機能を備える流動性充填物包装体３０を利用した二重収納構造体１０は、以下に述べる実施例に特に限定されるものではなく、外形形状や寸法ならびに材質は、本発明の趣旨に逸脱しない範囲で任意に変更することができる。
【実施例１】
【００４０】
図１は、本発明における流動性充填物包装体を示す全体斜視図である。
本発明におけるフィルム状逆止弁作用を備える流動性充填物包装体３０は、例えば、所定の形状に型抜きされた厚み略４０μｍ程度のポリエチレン（ＰＥ）やポリプロピレン（ＰＰ）製などから成る重なり合う表裏二枚の軟質フィルムシート３６の上端部３２aならびに側面端部３２ｂに融着フラップ部３２を形成して三方シールまたは四方シールの袋状に融着・接合すると共に、上部中央にはノズル挿入口３５を設けて成り、さらに融着フラップ部３２と融着領域部３４によって囲まれる流動性充填物Ｓを収納する袋体の内側領域に、該流動性充填物Ｓが通過することによって発生する毛管現象と表面張力による密着効果によってフィルム状逆止弁として作用する流動経路３３が形成されて成る。
なお、流動性充填物包装体３０は、所定の形状に型抜きされた一枚の軟質フィルムシート３６を二つ折りにして重ね合わせて三方シールの袋状に融着・接合する態様、あるいは、二枚の軟質フィルムシート３６を重ね合わせて四方シールの袋状に融着・接合する態様によって形成される。
【００４１】
融着フラップ部３２は、流動性充填物包装体３０の上端部３２ａならびに側面端部３２ｂを設けて、該流動性充填物包装体３０を三方シールまたは四方シールの袋状に融着・接合すると共に、流動性充填物包装体３０の上端部３２ａならびに側面端部３２ｂを延設して流動性充填物包装体３０とスクイズカバー体４０を融着・接合する目的で形成される。
【００４２】
流動経路３３は、融着フラップ部３２と融着領域部３４によって囲まれる袋体の内側領域に形成され、流動性充填物Ｓが通過することによって毛細管現象と表面張力による密着効果を発生させると共に、流動性充填物包装体３０内に外気が侵入するのを自動的に阻止するフィルム状逆止弁作用を機能させる箇所で、重なり合う表裏二枚の軟質フィルムシート３６を利用して、流動性充填物包装体３０の内側領域に形成される。
また、流動経路３３の上端部３２ａを両側下方に向かって傾斜をつけることによって、流動性充填物包装体３０内に侵入した外気を流動性充填物Ｓの注出時と同時に流動性充填物包装体３０外に容易に排出する形状とすることができる。
【００４３】
融着領域部３４は、流動経路３３を流動性充填物包装体３０内に設けるために流動性充填物包装体３０の収納部の一部をプレス圧加工によって融着したもので、該流動性充填物包装体３０の上端部３２ａに形成される融着フラップ部３２及びノズル挿入口３５の下端から所定間隔を空けて重なり合う表裏二枚の軟質フィルムシート３６同士を融着・接合して設けられる。さらに融着フラップ部３２と融着領域部３４で囲まれる袋体の内側領域に流動経路３３が形成され、該流動経路３３はフィルム状逆止弁として機能する。
なお、図示では明確に作図表示されていないが、融着領域部３４の下辺部は、両側に位置する流動経路３３に向かって流動性充填物Ｓが流動し易い山形形状を形成していることが好ましい。
【００４４】
流動性充填物Ｓは、液体調味料に限定されず、粘性の調味料、飲料、食材、化粧品、画材、塗料、潤滑剤、洗剤、洗髪料、消毒剤、薬剤等のあらゆる流動性の充填物を使用することができる
【００４５】
以上で構成される流動性充填物包装体３０は、フィルム状逆止弁が、流動性充填物包装体３０の重なり合う表裏二枚の軟質フィルムシート３６を利用して袋体の内側領域に形成されることによって、注出ノズル孔２１aを流動性充填物包装体３０の外部に突出させることなく、流動性充填物Ｓの逆流を防止するフィルム逆止弁効果を発生させることができる。
【実施例２】
【００４６】
図２は、本発明における請求項１記載の二重収納構造体を示す説明図であり、図２（ａ）は各構成要素を示す分解斜視図、図２（ｂ）は組み合わせた状態を示す全体斜視図である。
本発明における二重収納構造体１０は、充填される流動性充填物Ｓを空気に晒すことなく注出する二重収納構造体１０であって、該二重収納構造体１０は、注出ならびに密封機能を有する注出ノズルキャップ２０と、上記実施例１に記載の流動性充填物包装体３０と、自立性を備えるスクイズカバー体４０と、によって構成されている。
【００４７】
注出ノズルキャップ２０は、キャップ本体２５に注出ノズル２１を上方または横方向に突出して設け、下方には流動性充填物包装体３０に融着・接合される挿入ノズル２２を設け、さらにスクイズカバー体４０に融着・接合される段差部２３を形成して、流動性充填物包装体３０に充填されている流動性充填物Ｓを注出ノズル孔２１aから外部に注出して形成される。
【００４８】
スクイズカバー体４０は、例えば、厚み略８０〜１８０μｍ程度のポリエチレンテレフタレート（ＰＥＴ）、ポリプロピレン（ＰＰ）、ナイロン（ＰＡ）製などの柔軟性および形状復元性を備える硬質フィルムシート４５を所定の形状に成形し、上端部４１ａならびに側面端部４１ｂに融着フラップ部４１を形成して成り、流動性充填物包装体３０の融着フラップ部３２を表裏二枚のスクイズカバー体４０の融着フラップ部４１で挟み込んで融着・接合すると共に、スクイズカバー体４０の上端部４１ａ所定箇所が夫々前記注出ノズルキャップ２０における挿入ノズル２２の段差部２３に融着・接合される。
【００４９】
融着フラップ部４１は、流動性充填物包装体３０の融着フラップ部３２の上端部３２ａを吊持すると共に側面端部３２ｂを吊持・固定する目的で設けられるため、ノズル挿入口３５の周縁以外はスポット的な任意箇所に溶着・固定される方法であっても良い。
【００５０】
スクイズカバー体４０の下端には、開口部４４が形成されている。すなわち、該開口部４４は、流動性充填物包装体３０の融着フラップ部３２がスクイズカバー体４０の融着フラップ部４１に融着・接合されることによって、表裏二枚のスクイズカバー体４０の底面端が開放され、その結果、流動性充填物包装体３０が常時空気に触れている状態となっている。
【００５１】
図２（ｃ）は、二重収納構造体１０の底面の断面図を示す。
従来の類似する二重収納構造体と比較して底面の断面面積は同じであるが、高さ寸法Ｈが短縮されるため自立性の安定が図られる。
【００５２】
以上で構成される請求項１記載の二重収納構造体１０は、二重収納構造体１０全体を傾けるだけで流動性充填物Ｓの自重による自然滴下を可能にする（理由：軟質フィルムシート３６で形成される流動性充填物包装体３０が外側からの空気圧を均等に受けるため）と共に、スクイズカバー体４０をスクイズすることによって流動性充填物Ｓの大量注出を可能にするもので、さらに流動性充填物包装体３０内に設けられているフィルム状逆止弁作用を有する流動経路３３によって、充填される流動性充填物Ｓを空気に晒すことなく注出することができる。
【実施例３】
【００５３】
図３は、本発明における請求項２記載の二重収納構造体を示す説明図であり、図３（ａ）は全体斜視図を示す。
本発明における二重収納構造体１０は、スクイズカバー体４０の側面両側に折れ線によって形成される略三角状のマチ部４２を設けて、流動性充填物包装体３０の融着フラップ部３２と融着・接合して形成される。
【００５４】
マチ部４２は、スクイズカバー体４０の両側を横幅寸法Ｌ方向に延長すると共に、該スクイズカバー体４０の両側端部に折れ線４３によって形成され、該折れ線４３で折り曲げられることでスクイズカバー体４０の側面両側に略三角状に形成される。かかるマチ部４２は、通常は立体状に折り畳まれ、注出時にスクイズカバー体４０がスクイズされることによって平面状に押し延べされて、流動性充填物包装体３０内の流動性充填物Ｓを外部に注出することができる。
【００５５】
図３（ｂ）は、二重収納構造体１０の底面の断面図を示す。
従来の類似する二重収納構造体１０と比較して奥行き寸法Ｄを増すことによって底面の断面面積がやや拡大されるため自立性の安定が図られる。
【００５６】
以上で構成される請求項２記載の二重収納構造体１０は、スクイズカバー体４０の側面両側に折れ線４３によって形成される略三角状のマチ部４２を設けることで、流動性充填物包装体３０の収納容量を増やすことができると共に、二重収納構造体１０自体の自立性の安定が図られる。
【実施例４】
【００５７】
図４は、本発明における請求項３記載の二重収納構造体を示す説明図であり、図４（ａ）は全体斜視図を示す。
本発明における二重収納構造体１０は、スクイズカバー体４０の表面を等分する位置に、下端から上方に向かって適宜に延設される折れ線４３を設けて形成される。
【００５８】
折れ線４３は、スクイズカバー体４０の表面を等分する位置に、下端から上方に向かって適宜に延設されるもので、通常は角形状に折り畳まれ、注出時にスクイズカバー体４０がスクイズされることによって、平面状に押し延べされて流動性充填物包装体３０内の流動性充填物Ｓを外部に注出することができる。
【００５９】
図４（ｂ）は、二重収納構造体１０の底面の断面図を示す。
従来の類似する二重収納構造体１０と比較して奥行き寸法Ｄを増すことによって底面の断面面積が大幅に拡大されるため、自立性の安定が図られる。
【００６０】
以上で構成される請求項３記載の二重収納構造体１０は、スクイズカバー体４０の側面両側に表面を等分する位置に、下端から上方に向かって適宜に延設される折れ線４３を設けることによって、流動性充填物包装体３０の収納容量を増やすことができると共に、二重収納構造体１０自体の自立性の安定が図られる。
【００６１】
図５は、本発明における二重収納構造体と類似する従来の二重収納構造体を比較する説明図であり、
図５（ａ）は類似する従来の二重収納構造体の全体斜視図、図５（ｂ）は請求項１記載の二重収納構造体１０の全体斜視図、図５（ｃ）は請求項２記載の二重収納構造体１０の全体斜視図、図５（ｄ）は請求項３記載の二重収納構造体１０の全体斜視図を示している。
本発明における二重収納構造体１０と類似する従来の二重収納構造体を比較すると、下記のような相違点が挙げられる。
（１）流動性充填物包装体３０の上方に注出ノズルキャップ２０が設けられると共に、フィルム状逆止弁効果を備える流動経路３３が流動性充填物包装体３０の内側領域に設けられる構造から、従来の流動性充填物包装体３０の上部に位置する平面的な収納部と両隅部が省略されることよって、二重収納構造体１０全体のコンパクト化が図れる。
（２）上記の高さ寸法Ｈのコンパクト化とマチ部４２や折れ線４３が設けられて底面積が拡張することによって、二重収納構造体１０の自立性の安定化が図られる。
（３）フィルム状逆止弁の先端部が外部に露出しない構造であるため、衛生的である。
（４）流動性充填物包装体３０の薄手の軟質フィルムシート３６を利用してフィルム状逆止弁作用を備える流動経路３３を形成することができるため、逆止弁効果を向上させることができる。
（５）注出ノズルキャップ２０と流動経路３３が長いフィルム状逆止弁で形成されていることによって、二重収納構造体１０を強く握っても流動性充填物３０が一挙に射出しないと共に、二重収納構造体１０を単に傾けることによって適量の流動性充填物Ｓを自重で自然滴下させることができる。（理由：軟質フィルムシート３６で形成される流動性充填物包装体３０が外側からの空気圧を均等に受けるため。以下同様）さらに注出ノズルキャップ２０が最上端に設けてられているため、流動性充填物包装体３０内に流入した空気を袋体内に留めることなく排出することができる。
（６）フィルム状逆止弁の流動経路３３の経路幅をやや広くしたり、傾斜角度を変更したりする設計変更を行うことにより、粘性の低い醤油などの流動性充填物Ｓから粘性の高いマヨネーズなどの流動性充填物Ｓまで幅広く注出することができる。
【実施例５】
【００６２】
図６は、本発明における請求項４記載の二重収納構造体を示す説明図であり、図６（ａ）は止栓機能付き注出ノズルキャップ２４の分解斜視図、図６（ｂ）は止栓機能付き注出ノズルキャップ２４の全体斜視図を示している。
本発明における止栓機能付き注出ノズルキャップ２４は、ヒンジ２９によって開閉される蓋体２７を備えて成り、該蓋体２７の内側に設けられる突起状の止栓棒状体２８がキャップ本体２５に設けられる注出ノズル２６の注出ノズル孔２６ａに挿入されることで、止栓・密封機能を備えている。かかる止栓機能付き注出ノズルキャップ２４は、流動性充填物包装体３０とスクイズカバー体４０とに融着・接合される。
【００６３】
以上で構成される請求項４記載の二重収納構造体１０は、粘性の高い流動性充填物Ｓに使用する際、流動性充填物包装体３０内に設けられる流動経路３３を流動性充填物Ｓが通過することによって発生する毛細管現象と表面張力による密着効果が機能しない場合に、フィルム状逆止弁作用を補助する目的で設けられるもので、かかるフィルム状逆止弁作用と止栓機能付き注出ノズルキャップ２４の密封機能によって、充填される流動性充填物Ｓを空気に晒すことなく注出することができる。
【実施例６】
【００６４】
図７は、本発明における請求項５記載の二重収納構造体１０を示す説明図である。
本発明における請求項５記載の二重収納構造体１０は、スクイズカバー体４０が、柔軟性および形状復元性を備える硬質の合成樹脂素材で射出成型されて成り、流動性充填物包装体３０の融着フラップ部３２を、表裏二枚のスクイズカバー体４０の融着フラップ部４１で挟み込んで融着・接合して形成される。
【００６５】
図７（ａ）は、請求項５にかかる二重収納構造体１０を示しており、流動性充填物包装体３０の内側領域に流動経路３３が設けられているものである。
すなわち、請求項５記載の二重収納構造体１０に、フィルム状逆止弁として作用する流動経路３３を設けた流動性充填物包装体３０を使用するものである。
【００６６】
図７（ｂ）は、前記請求項５記載の二重収納構造体１０において、流動性充填物包装体３０の内側領域に設けられている流動経路３３が省略されているものを示している。
当該二重収納構造体１０は、流動性充填物包装体３０が融着領域部３４を省略することでフィルム状逆止弁として作用する流動経路３３が省略されて成ると共に、スクイズカバー体４０が柔軟性および形状復元性を備える厚み略２５０μｍ程度のポリエチレンテレフタレート（ＰＥＴ）、ポリプロピレン（ＰＰ）、ナイロン（ＰＡ）製などの硬質の合成樹脂素材で射出成型されて成り、該流動性充填物包装体３０の融着フラップ部３２を、表裏二枚のスクイズカバー体４０の融着フラップ部４１で挟み込んで融着・接合して形成される。
【００６７】
流動性充填物包装体３０に充填される流動性充填物Ｓとして、マヨネーズ、ケチャップ、マスタードなどの比較的粘性がある流動性充填物Ｓが充填される場合に、本実施例の二重収納構造体１０が有効に機能するもので、実施例１にかかる流動性充填物包装体３０の他にフィルム状逆止弁作用を備えていない流動性充填物包装体３０を使用することができる。
【００６８】
スクイズカバー体４０内に収容される流動性充填物包装体３０には粘性があるマヨネーズ、ケチャップ、マスタードなどの流動性充填物Ｓが大量に充填されるため、該スクイズカバー体４０は表裏二枚の柔軟性および形状復元性を備える硬質の合成樹脂素材で射出成型して形成される。
【００６９】
以上で構成される請求項５記載の二重収納構造体１０は、マヨネーズ、ケチャップ、マスタードなどが充填される場合を想定しているが、ソース、焼肉のたれ、ドレッシング、液状味噌などの比較的粘性の低い調味料の場合でも、フィルム状逆止弁作用を有する流動経路３３の経路幅をやや広くしたり、傾斜角度を変更したりする設計変更を行うことにより、流動性充填物Ｓを空気に晒すことなく注出することができる。
【００７０】
図８は、本発明における二重収納構造体の別の実施形態を示す説明図である。
図示される図（ａ）〜図（ｈ）は、本発明における二重収納構造体１０の別の実施形態を示す。
図（ａ）はスタンドパック型の二重収納構造体１０を示す。
図（ｂ）はハンディパック型の二重収納構造体１０を示す。
図（ｃ）は配膳型の二重収納構造体１０を示す。
図（ｄ）は真空パック型の二重収納構造体１０を示す。
図（ｅ）は卓上型の二重収納構造体１０を示す。
図（ｆ）はマヨネーズ型の二重収納構造体１０を示す。
図（ｇ）はボトル型の二重収納構造体１０を示す。
図（ｈ）はドレッシング型の二重収納構造体１０を示す。
以上における上記二重収納構造体１０は、融着フラップ部３２，４１を可能な限り突出幅を小さくして融着・接合することによって使用時において握りしやすくしている。
【００７１】
図９は、本発明における二重収納構造体の使用状態を示す説明図である。
粘性が低い醤油、酢などの液体の流動性充填物Ｓに使われる場合を例にとって説明する。
（１）実施例１記載の流動性充填物包装体３０を利用した、請求項１記載の二重収納構造体１０を用意する。
（２）二重収納構造体３０を任意の状態に傾けると、流動性充填物包装体３０内に充填されている液状の流動性充填物Ｓが、注出ノズル２１の注出ノズル孔２１ａの先端口から自重によって自然滴下する。
（３）さらに傾けた状態でスクイズカバー体４０を両側からスクイズすると、流動性充填物Ｓは注出ノズル２１の注出ノズル孔２１ａから勢い良く射出される。
（４）二重収納構造体１０を元の状態に戻すと、注出ノズル孔２１ａの出口付近に滞留している流動性充填物Ｓは、流動性充填物包装体３０内の流動経路３３を通って流動性充填物包装体３０内の下部に自重で降下して貯留される。
（５）そのとき、流動性充填物包装体３０内の流動経路３３が流動性充填物Ｓによって濡らされるため、流動経路３３を形成する重なり合う表裏二枚の軟質フィルムシート３６がお互いに密着することによって逆止弁効果が発生して、外部と隔離されて密封される。
（６）二重収納構造体１０を自立させた状態で、食卓や冷蔵庫に保存する。
【００７２】
図１０は、本発明における二重収納構造体の別の使用状態を示す説明図である。
ソース、焼肉のたれ、ドレッシング、液状味噌ならびにマヨネーズ、ケチャップ、マスタードなどのやや粘性のある流動性充填物Ｓに使われる場合を例にとって説明する。
（１）実施例１記載の流動性充填物包装体３０と請求項４記載の止栓機能付き注出ノズルキャップ２４を使用した、請求項１記載の二重収納構造体１０を用意する。
（２）止栓機能付き注出ノズルキャップ２４の蓋体２７を開蓋して、注出ノズル２６を露出させる。
（３）二重収納構造体１０を任意の状態に傾けると、流動性充填物包装体３０内に充填されているやや粘性のある流動性充填物Ｓが、止栓機能付き注出ノズルキャップ２４の注出ノズル孔２６ａの先端口から自重によって自然滴下する。
（４）さらに傾けた状態でスクイズカバー体４０を両側からスクイズすると、やや粘性のある流動性充填物Ｓは止栓機能付き注出ノズルキャップ２４の注出ノズル孔２６ａの出口から勢い良く射出される。
（５）二重収納構造体１０を元の状態に戻すと、注出ノズル孔２６ａの出口付近に滞留しているやや粘性のある流動性充填物Ｓは、流動性充填物包装体３０内のやや経路幅を拡げた流動経路３３を通って、流動性充填物包装体３０内の下部に自然降下して貯留される。
（６）そのとき流動性充填物包装体３０内の流動経路３３が流動性充填物Ｓによって濡らされるため、流動経路３３を形成する重なり合う表裏二枚の軟質フィルムシート３６はお互いが密着することによって、逆止弁効果が発生して密封される。
（７）止栓機能付き注出ノズルキャップ２４の蓋体２７を閉蓋することによって、流動性充填物包装体３０内の流動性充填物Ｓは、外部と隔離されて密封される。
（８）スクイズカバー体４０が形状復元して自立した密封状態で、食卓や冷蔵庫に据え置き保存される。
【００７３】
図１１は、本発明における二重収納構造体の別の使用状態を示す説明図である。
マヨネーズ、ケチャップ、味噌、麹、マスタードなどの比較的粘性の高い流動性充填物Ｓに使われる場合を例にとって説明する。
なお、二重収納構造体１０の全体形状を小さくして、わさび、和からし、味噌、などを収納する二重収納構造体１０とすることもできる。
（１）実施例1記載の流動性充填物包装体３０の内側領域に設けられている流動経路３３が省略されているものと請求項４記載の止栓機能付き注出ノズルキャップ２４を使用した、請求項１記載の二重収納構造体１０を用意する。
（２）止栓機能付き注出ノズルキャップ２４の蓋体２７を開蓋して、注出ノズル２６を露出させる。
（３）スクイズカバー体４０を両側からスクイズすると、流動性充填物Ｓは止栓機能付き注出ノズルキャップ２４の注出ノズル孔２６ａの出口から練り状な状態で注出される。
（４）スクイズカバー体４０のスクイズ動作を止めると、外側のスクイズカバー体４０は元の形状に復元するが、内側の流動性充填物包装体３０はスクイズされた状態のまま維持され、流動性充填物Ｓは注出ノズル孔２６ａの出口付近に滞留する。
（５）さらに流動性充填物Ｓは、流動性充填物包装体３０内の流動経路３３内に滞留する。
（６）止栓機能付き注出ノズルキャップ２４の蓋体２７を閉蓋することによって、流動性充填物包装体３０内の流動性充填物Ｓは、外部と隔離されて密封される。
（７）スクイズカバー体４０が形状復元して自立した密封状態で、食卓や冷蔵庫に据え置き保存される。
なお、密封性を向上させる目的で、止栓機能付き注出ノズルキャップ２４の注出ノズル孔２６ａ内に簡易構造のフラップ式逆止弁を設けることも可能である。
【産業上の利用可能性】
【００７４】
本発明におけるフィルム状逆止弁作用を備える流動性充填物包装体を利用した二重収納構造体１０は、液状調味料の二重収納構造体に限定されず、粘性の調味料、飲料、食材、化粧品、画材、塗料、潤滑剤、洗剤、洗髪料、消毒剤、薬剤等の流動性充填物を注出する二重収納構造体として幅広く利用できるもので、本発明における「フィルム状逆止弁作用を備える流動性充填物包装体を利用した二重収納構造体」の産業上の利用可能性は極めて大であるものと解する。
【符号の説明】
【００７５】
１０    二重収納構造体
２０    注出ノズルキャップ
２１    注出ノズル
２１ａ  注出ノズル孔
２２    挿入ノズル
２３    段差部
２４    止栓機能付き注出ノズルキャップ
２５    キャップ本体
２６    注出ノズル
２６ａ  注出ノズル孔
２７    蓋体
２８    止栓棒状体
２９    ヒンジ
３０    流動性充填物包装体
３２    融着フラップ部
３２ａ  上端部
３２ｂ  側面端部
３３    流動経路
３４    融着領域部
３５    ノズル挿入口
３６    軟質フィルムシート
４０    スクイズカバー体
４１    融着フラップ部
４１ａ  上端部
４１ｂ  側面端部
４２    マチ部
４３    折れ線
４４    開口部
４５    硬質フィルムシート
Ｓ    流動性充填物
Ｈ    高さ寸法
Ｌ    幅寸法
Ｄ    奥行き寸法